(57)【要約】【課題】時刻と方角とが関連する事象を直感的にわかり易い情報として提示すること。【解決手段】リスト端末１は、時刻情報取得部５１と、方角情報取得部５２と、ＬＣＤ１４と、時刻座標設定部５３と、方角座標設定部５４と、表示制御部５５とを備える。時刻情報取得部５１は、時刻情報を取得する。方角情報取得部５２は、方角情報を取得する。ＬＣＤ１４は、時刻情報及び方角情報を表示可能である。時刻座標設定部５３は、ＬＣＤ１４に時刻情報を表示するための時刻座標系を設定する。方角座標設定部５４は、ＬＣＤ１４に方角情報を表示するための方角座標系を設定する。表示制御部５５は、ＬＣＤ１４に設定された時刻座標系及び方角座標系に、特定の時刻情報及び特定の方角情報を表示する。【選択図】図２
2018004402.tif 000002
【特許請求の範囲】
【請求項１】
時刻情報を取得する時刻情報取得手段と、
方角情報を取得する方角情報取得手段と、
前記時刻情報及び前記方角情報を表示可能な表示手段と、
前記表示手段に前記時刻情報を表示するための時刻座標系を設定する時刻座標設定手段と、
前記表示手段に前記方角情報を表示するための方角座標系を設定する方角座標設定手段と、
前記表示手段に設定された前記時刻座標系及び前記方角座標系に、特定の時刻情報及び特定の方角情報を表示する表示制御手段と、
を備えることを特徴とする情報表示装置。
【請求項２】
前記表示制御手段は、前記表示手段において前記時刻座標系及び前記方角座標系を合成した座標上に、前記特定の時刻情報及び前記特定の方角情報を表示することを特徴とする請求項１に記載の情報表示装置。
【請求項３】
前記時刻座標設定手段及び前記方角座標設定手段は、前記時刻座標系における前記特定の時刻情報の位置と、前記特定の時刻情報に関連する前記特定の方角情報の位置とを対応付け、前記時刻座標系または前記方角座標系の少なくとも一方を座標変換し、
前記表示制御手段は、座標変換された前記時刻座標系と前記方角座標系とを合成することを特徴とする請求項２に記載の情報表示装置。
【請求項４】
前記時刻座標設定手段は、前記時刻座標系を前記表示手段の表示領域の周方向に均等に割り当て、
前記方角座標設定手段は、前記時刻座標系における特定の時刻情報の位置に、前記特定の時刻情報に関連する前記特定の方角情報を対応付けると共に、前記特定の時刻情報に関連する前記特定の方角情報以外の方角情報を、前記特定の時刻情報に関連する方角情報に合わせて前記時刻座標系に割り当てることにより前記方角座標系を設定することを特徴とする請求項２または３に記載の情報表示装置。
【請求項５】
前記特定の時刻情報に関連する方角情報は、第１の時刻情報に関連する第１の方角情報及び第２の時刻情報に関連する第２の方角情報を含み、
前記方角座標設定手段は、前記時刻座標系において、前記第１の時刻情報に関連する第１の方角情報を対応付けると共に、前記第２の時刻情報に関連する第２の方角情報を対応付け、前記第１の方角情報と前記第２の方角情報との間の方角座標を、前記第１の時刻情報と前記第２の時刻情報との間の時刻座標に割り当てることを特徴とする請求項２から４のいずれか１項に記載の情報表示装置。
【請求項６】
前記表示制御手段は、前記方角座標系において、前記特定の時刻情報に関連する方角情報に対する相対的な方位を示す情報を前記表示手段に表示することを特徴とする請求項１から５のいずれか１項に記載の情報表示装置。
【請求項７】
前記方角座標設定手段は、前記方角座標系を前記表示手段の表示領域の周方向に均等に割り当て、
前記時刻座標設定手段は、前記方角座標系における特定の方角情報の位置に、前記特定の方角情報に関連する前記特定の時刻情報を対応付けると共に、前記特定の方角情報に関連する前記特定の時刻情報以外の時刻情報を、前記特定の方角情報に関連する時刻情報に合わせて前記方角座標系に割り当てることにより前記時刻座標系を設定することを特徴とする請求項２または３に記載の情報表示装置。
【請求項８】
前記表示制御手段は、前記表示手段において前記時刻座標系及び前記方角座標系を重ねた座標上に、前記特定の時刻情報及び前記特定の方角情報を表示することを特徴とする請求項１に記載の情報表示装置。
【請求項９】
前記特定の時刻情報は、天体の出没時刻であり、
前記特定の方角情報は、前記天体の出没時刻に関連する出没の方角であることを特徴とする請求項１から８のいずれか１項に記載の情報表示装置。
【請求項１０】
時刻情報を取得する時刻情報取得手段と、
方角情報を取得する方角情報取得手段と、
前記時刻情報及び前記方角情報を表示可能な表示手段と、を備える情報表示装置が実行する情報表示方法であって、
前記表示手段に前記時刻情報を表示するための時刻座標系を設定する時刻座標設定処理と、
前記表示手段に前記方角情報を表示するための方角座標系を設定する方角座標設定処理と、
前記表示手段に設定された前記時刻座標系及び前記方角座標系に、特定の時刻情報及び特定の方角情報を表示する表示制御処理と、
を含むことを特徴とする情報表示方法。
【請求項１１】
時刻情報を取得する時刻情報取得手段と、
方角情報を取得する方角情報取得手段と、
前記時刻情報及び前記方角情報を表示可能な表示手段と、を備える情報表示装置を制御するコンピュータに、
前記表示手段に前記時刻情報を表示するための時刻座標系を設定する時刻座標設定機能と、
前記表示手段に前記方角情報を表示するための方角座標系を設定する方角座標設定機能と、
前記表示手段に設定された前記時刻座標系及び前記方角座標系に、特定の時刻情報及び特定の方角情報を表示する表示制御機能と、
を実現させることを特徴とするプログラム。
【発明の詳細な説明】
【技術分野】
【０００１】
本発明は、情報表示装置、情報表示方法及びプログラムに関する。
【背景技術】
【０００２】
従来、日の出及び日の入り時刻を報知する腕装着型の機器が知られている。
例えば、特許文献１には、現在時刻から日の出あるいは日の入りまでの時間を示すことにより、日の出あるいは日の入り時刻を報知するアナログ電子時計が開示されている。
【先行技術文献】
【特許文献】
【０００３】
【特許文献１】特開２０１１−１２２９５２号公報
【発明の概要】
【発明が解決しようとする課題】
【０００４】
しかしながら、従来の技術においては、ユーザは日の出あるいは日の入りの時刻をそれぞれ把握することはできるものの、日の出及び日の入りの方角をそれらの時刻と関連した直感的にわかり易い情報として提示することは困難であった。
このような状況は、日の出あるいは日の入りのみならず、例えば月等の他の天体の出没をはじめとして、時刻と方角とが関連する事象に共通するものである。
【０００５】
本発明は、このような状況に鑑みてなされたものであり、時刻と方角とが関連する事象を直感的にわかり易い情報として提示することを目的とする。
【課題を解決するための手段】
【０００６】
上記目的を達成するため、本発明の一態様の情報表示装置は、
時刻情報を取得する時刻情報取得手段と、
方角情報を取得する方角情報取得手段と、
前記時刻情報及び前記方角情報を表示可能な表示手段と、
前記表示手段に前記時刻情報を表示するための時刻座標系を設定する時刻座標設定手段と、
前記表示手段に前記方角情報を表示するための方角座標系を設定する方角座標設定手段と、
前記表示手段に設定された前記時刻座標系及び前記方角座標系に、特定の時刻情報及び特定の方角情報を表示する表示制御手段と、
を備えることを特徴とする。
【発明の効果】
【０００７】
本発明によれば、時刻と方角とが関連する事象を直感的にわかり易い情報として提示することができる。
【図面の簡単な説明】
【０００８】
【図１】本発明の情報表示装置の一実施形態としてのリスト端末の構成を示す図であり、図１（Ａ）は外観構成図、図１（Ｂ）は、ハードウェア構成を示すブロック図である。
【図２】リスト端末の機能的構成のうち、情報表示処理を実行するための機能的構成を示す機能ブロック図である。
【図３】実施形態において設定される時刻座標系及び方角座標系を示す模式図であり、図３（Ａ）は時刻座標系を示す図、図３（Ｂ）は方角座標系を示す図である。
【図４】表示制御部によって表示される表示画面例を示す模式図である。
【図５】リスト端末において設定される時刻座標系及び方角座標系の関係の一例を示す模式図である。
【図６】日の出の時刻及び日の入りの時刻を時刻座標系上にプロットした結果を示す模式図である。
【図７】時刻座標系における日の出の時刻及び日の入りの時刻に、実際の日の出の方角及び日の入りの方角を回転させて重ね合わせた状態を示す模式図である。
【図８】時刻座標系に重畳（合成）された方角座標系の座標分布を示す模式図である。
【図９】図８に示す時刻座標系及び方角座標系を地磁気センサの出力に応じて補正した状態を示す模式図である。
【図１０】地磁気センサの出力に応じて、リスト端末の表示が回転される状態を示す模式図であり、図１０（Ａ）は地磁気センサの出力が６０度である場合、図１０（Ｂ）は地磁気センサの出力が３００度である場合、図１０（Ｃ）は地磁気センサの出力が４度である場合、図１０（Ｄ）は地磁気センサの出力が８６度である場合を示す図である。
【図１１】図２の機能的構成を有する図１のリスト端末が実行する情報表示処理の流れを説明するフローチャートである。
【図１２】表示回転処理の流れを説明するフローチャートである。
【図１３】実施形態において設定される時刻座標系及び方角座標系を示す模式図であり、図１３（Ａ）は時刻座標系を示す図、図１３（Ｂ）は方角座標系を示す図である。
【図１４】表示制御部によって表示される表示画面例を示す模式図である。
【発明を実施するための形態】
【０００９】
以下、本発明の実施形態について、図面を用いて説明する。
【００１０】
［第１実施形態］
［ハードウェア構成］
図１は、本発明の情報表示装置の一実施形態としてのリスト端末１の構成を示す図であり、図１（Ａ）は外観構成図、図１（Ｂ）は、ハードウェア構成を示すブロック図である。
リスト端末１は、腕時計型に構成され、スマートフォンに類する機能を備えた装置である。
図１に示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒｅａｄ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、ドライブ２２とを備えている。なお、リスト端末１には、撮像部等の他のハードウェアを適宜備えることが可能である。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、情報表示処理（後述）のためのプログラム等、ＲＯＭ１６に記録されているプログラムに従って各種の処理を実行する。
センサユニット１２は、地磁気センサ、３軸加速度センサ、気圧センサあるいは高度センサ等の各種センサを備えている。
【００１２】
入力部１３は、各種釦やＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。また、本実施形態において、ＬＣＤ１４は、略円形の表示領域を有し、情報表示処理においては、時刻情報を表示するための時刻座標系と、方角情報を表示するための方角座標系とが表示領域に設定される。
時計回路１５は、システムクロックあるいは発振器により生成される信号から時刻信号を生成し、現在時刻を出力する。
【００１３】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１４】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
ドライブ２２には、磁気ディスク、光ディスク、光磁気ディスク、あるいは半導体メモリ等よりなる、リムーバブルメディア３１が適宜装着される。リムーバブルメディア３１は、画像のデータ等の各種データを記憶することができる。
【００１５】
［機能的構成］
次に、リスト端末１の機能的構成について説明する。
図２は、リスト端末１の機能的構成のうち、情報表示処理を実行するための機能的構成を示す機能ブロック図である。
【００１６】
情報表示処理とは、ＬＣＤ１４の表示領域における周方向に均等に割り当てられた２４時間表示の時刻座標系を設定し、時刻座標系における日の出及び日の入り時刻の位置に、日の出及び日の入りの方角の座標を固定的に割り当てると共に、これらの方角の間の座標を日の出及び日の入りの方角の座標に合わせて割り当てた方角座標系を設定し、さらに、これら時刻座標系及び方角座標系を重畳（合成）した座標系上に、日の出及び日の入りの時刻と方角とを含む各種情報を表示する一連の処理である。
【００１７】
情報表示処理が実行される場合、図２に示すように、制御部１１において、時刻情報取得部５１と、方角情報取得部５２と、時刻座標設定部５３と、方角座標設定部５４と、表示制御部５５とが機能する。
また、ＲＯＭ１６には、暦情報データベース（暦情報ＤＢ）７１を有する。
【００１８】
暦情報ＤＢ７１には、主要地点における日の出及び日の入りの時刻とその方角が所定期間分（例えば、５０年分）格納されたデータベースが記憶されている。即ち、暦情報ＤＢ７１を参照することで、例えば、特定の地点の特定の日にちにおける日の出時刻、日の入り時刻、日の出の方角及び日の入りの方角を特定することができる。
【００１９】
時刻情報取得部５１は、時計回路１５から出力される現在時刻を示す情報を取得する。
方角情報取得部５２は、センサユニット１２の地磁気センサから出力される地磁気の向きを示す情報に基づいて、リスト端末１における方角を示す情報（例えば、東西南北等）を取得する。
【００２０】
時刻座標設定部５３は、ＬＣＤ１４の表示領域における周方向を均等に分割して２４時間の時刻に割り当て、２４時間表示の時刻座標系を設定する。即ち、現在時刻を時針によって時刻座標系上に表した場合、ＬＣＤ１４の表示領域を均等な速度で周回し、２４時間で一周することとなる。
方角座標設定部５４は、時刻座標系と対応付けて、方角を表す方角座標系を設定する。このとき、方角座標設定部５４は、時刻座標系における日の出及び日の入り時刻の位置に、日の出及び日の入りの方角の座標を固定的に割り当てる。また、方角座標設定部５４は、日の出及び日の入りの方角の間の座標を日の出及び日の入りの方角の座標に合わせて割り当てる。
【００２１】
図３は、本実施形態において設定される時刻座標系及び方角座標系を示す模式図であり、図３（Ａ）は時刻座標系を示す図、図３（Ｂ）は方角座標系を示す図である。
図３（Ａ）に示すように、時刻座標系は、ＬＣＤ１４の表示領域における周方向に各時刻の座標が均等に割り当てられたものとなっている。
一方、図３（Ｂ）に示すように、方角座標系は、ＬＣＤ１４の表示領域における周方向に不均一に各方角が割り当てられたものとなっている。
なお、図３（Ａ）においては、日の出及び日の入りの時刻の位置がそれらを示すアイコン及びそれらの時刻を示す数字と共に示されており、時刻座標系における４：２５の位置が日の出の時刻、１８：５７の位置が日の入りの時刻となっている。また、図３（Ｂ）においては、日の出及び日の入りの方角の位置がそれらを示すアイコン及びそれらの時刻を示す数字と共に示されており、方角座標系における日の出及び日の入りの方角の位置は、時刻座標系における日の出及び日の入りの時刻の位置と同一の位置に固定的に割り当てられている。
即ち、図３（Ｂ）に示すように、方角座標系においては、日の出及び日の入りの方角をそれぞれの時刻の座標に固定的に割り当てたことから、それに応じて他の方角の座標が歪んだ状態（均等な割り当てからずれた状態）で割り当てられている。
なお、方角座標設定部５４における方角座標系の設定方法については後述する。
【００２２】
表示制御部５５は、時刻座標設定部５３によって設定された時刻座標系と、時刻座標系に対応付けられた方角座標系とを重畳（合成）した座標系において、日の出及び日の入りの時刻と方角とを含む各種情報を表示する。なお、表示制御部５５は、時刻座標系及び方角座標系が重畳（合成）された座標系を、地磁気センサの出力（即ち、ユーザの向き）に応じて、逐次回転させてＬＣＤ１４に表示する。
図４は、表示制御部５５によって表示される表示画面例を示す模式図である。
図４に示すように、表示制御部５５は、ＬＣＤ１４の表示領域中心を時針Ｈの回転中心とするアナログ時計の文字盤の画像を表示する。また、表示制御部５５は、この文字盤の画像において、日の出の時刻を表す第１の指標Ｉａと、日の入りの時刻を表す第２の指標Ｉｂとを表示する。
【００２３】
第１の指標Ｉａは、文字盤の画像において、表示領域中心と時刻座標系における日の出の時刻（ここでは、「４：２５」）とを結ぶ線分として表される。同様に、第２の指標Ｉｂは、文字盤の画像において、表示領域中心と時刻座標系における日の入りの時刻（ここでは、「１８：５７」）とを結ぶ線分として表される。なお、第１の指標Ｉａ及び第２の指標Ｉｂそれぞれの近傍には、日の出の時刻及び日の入りの時刻が数値によって表されている。さらに、第１の指標Ｉａと第２の指標Ｉｂとで区分された時刻座標系の間の領域は、日中に相当する領域が明度の高い色（例えば、白色等）、夜間に相当する領域が明度の低い色（例えば、黒色等）で表されている。また、第１の指標Ｉａ及び第２の指標Ｉｂそれぞれの近傍には日の出、日の入りを示すアイコンが表示されている。
【００２４】
また、上述のように、時刻座標系における日の出及び日の入り時刻の位置は、日の出及び日の入りの方角の座標に固定的に割り当てられていることから、第１の指標Ｉａは、方角座標系において日の出の方角を表し、第２の指標Ｉｂは、方角座標系において日の入りの方角を表している。
なお、本実施形態において、方角座標系が示す方角が実際の方角と一致する状態は、第１の指標Ｉａまたは第２の指標ＩｂがＬＣＤ１４の表示領域において特定の向き（例えば、図４においてＬＣＤ１４の表示領域中心から上方の向き）と一致した状態のときである。
したがって、ユーザが日の出あるいは日の入りの方角を確認するために、第１の指標Ｉａあるいは第２の指標ＩｂがＬＣＤ１４の表示領域における特定の方向に一致するようにリスト端末１の向きを設定した場合に、第１の指標Ｉａあるいは第２の指標Ｉｂの向きが方角座標系において日の出あるいは日の入りの正確な方角を示すものとなる。一方、第１の指標Ｉａあるいは第２の指標ＩｂをＬＣＤ１４の表示領域における特定の方向に一致するようにリスト端末１の向きを設定した場合以外は、方角座標系が示す各方角は、実際の方角からずれた状態となっている。そのため、図４等において示されている方位（北の方位を示す「Ｎ」等）は、正確な方位を示すものではなく、方位の目安を示すものとなっている。なお、東西南北等の方位の目安を示す記号（「Ｅ」、「Ｗ」、「Ｓ」、「Ｎ」等）を表示しない設定とすることも可能である。
【００２５】
［座標系の設定方法］
次に、リスト端末１における座標系の設定方法について説明する。
図５は、リスト端末１において設定される時刻座標系及び方角座標系の関係の一例を示す模式図である。
上述のように、時刻座標設定部５３によって、時刻座標系は、ＬＣＤ１４の表示領域における周方向を均等に分割して、２４時間の時刻に割り当てられる。
具体的には、ＬＣＤ１４の表示領域の外周３６０度を２４時間で分割するため、１時間当たりの角度は１５度、１分当たりの角度は１５／６０度となる。
【００２６】
ここで、ＬＣＤ１４の表示領域が３２０［画素］×３２０［画素］の大きさであるものとし、中心座標Ｘ０＝１６０，Ｙ０＝１６０の周りに半径Ｒｔ＝１６０［画素］の時刻座標系を表す円を描くものとする。
図５における６時の位置を便宜上の基準（０度）として、各時刻の座標（Ｘｔ，Ｙｔ）は、次式（１）、（２）によって表すことができる。なお、次式（１）、（２）において、角度の単位はラジアンである。
Ｘｔ＝（ｃｏｓ（α×２π／２４）×Ｒｔ）＋Ｘ０      （１）
Ｙｔ＝（ｓｉｎ（α×２π／２４）×Ｒｔ）＋Ｙ０      （２）
【００２７】
ただし、αは時刻に応じて決まる角度係数であり、各時刻における角度係数αは以下のように定義される。
・時刻が６：００から２４：００までは、α＝（時刻の数値−６）
・時刻が０：００から６：００までは、α＝（時刻の数値＋１８）
なお、毎正時以外の時刻については、「分」、「秒」までを「時」に換算した数値を用いることで、同様に角度係数αを算出することができる。
このようにして、各時刻の時刻座標がＬＣＤ１４の表示領域における周方向に均等に割り当てられる。
【００２８】
また、時刻座標系において日の出及び日の入りの時刻をプロットする場合、上述の各時刻と同様に座標を算出することができる。
例えば、２０１５年６月１２日における東京の日の出及び日の入り時刻は、それぞれ４：２５及び１８：５７である。
日の出及び日の入りの時刻及び方角をプロットする半径Ｒｓを上記の半径Ｒｔより短い１４０［画素］に設定すると、日の出及び日の入りの時刻の座標は、次式（３）、（４）によって表すことができる。なお、次式（３）、（４）において、角度の単位はラジアンである。
Ｘｓ＝（ｃｏｓ（α×２π／２４）×Ｒｓ）＋Ｘ０      （３）
Ｙｓ＝（ｓｉｎ（α×２π／２４）×Ｒｓ）＋Ｙ０      （４）
【００２９】
ここで、角度係数αは上述の通りであるため、日の出及び日の入りの時刻についての角度係数α１、α２は、それぞれ以下のように算出される。
即ち、日の出については、
α１＝２２＋（２５／６０）＝２２．４２
日の入りについては、
α２＝１２＋（５７／６０）＝１２．９５
となる。
【００３０】
これらα１、α２の値を式（３）、（４）に代入することで、日の出の時刻の座標（Ｘｓ１，Ｙｓ１）及び日の入りの時刻の座標（Ｘｓ２，Ｙｓ２）として以下の値を算出することができる。
日の出の時刻の座標（Ｘｓ１，Ｙｓ１）＝（２８８．２，１０３．７）
日の入りの時刻の座標（Ｘｓ２，Ｙｓ２）＝（２４．３，１２５．５）
【００３１】
図６は、日の出の時刻及び日の入りの時刻を時刻座標系上にプロットした結果を示す模式図である。
図６に示すように、時刻座標系において、日の出の時刻及び日の入りの時刻を示す座標それぞれが、半径Ｒｓの円周上にプロットされている。
このように定められた日の出の時刻及び日の入りの時刻の座標を固定する場合、実際の日の出の方角及び日の入りの方角は、時刻座標系における日の出の時刻及び日の入りの時刻の座標とは必ずしも一致しないこととなる。
つまり、時刻座標系における日の出の時刻及び日の入りの時刻の座標から定められる日の出の方角及び日の入りの方角の角度は、上記α１、α２の値を２４時間で１周（３６０度）する前提で換算すると、以下のような値となる。なお、ここでは便宜上、６時の位置を基準（０度）としている。
【００３２】
即ち、日の出の方角Ａｓ１は、
Ａｓ１＝（α１／２４）×３６０＝３３６．３度
日の入りの方角Ａｓ２は、
Ａｓ２＝（α２／２４）×３６０＝１９４．２５度
となる。
【００３３】
これに対し、実際の日の出の方角及び日の入りの方角は、観測日：２０１５年６月１２日、観測地点：東京の場合、日の出の方角が６０．４度、日の入りの方角が２９９．６度となっている。
実際の日の出の方角及び日の入りの方角は、北の方位を０度として時計周りを正方向に定義されているため、時刻座標系に合わせて回転すると、日の出の方角を日の出の時刻から定められる方角（Ａｓ＝３３６．３度）に一致させた場合、日の入りの方角は２１５．５度となる。
【００３４】
図７は、時刻座標系における日の出の時刻及び日の入りの時刻に、実際の日の出の方角及び日の入りの方角を回転させて重ね合わせた状態を示す模式図である。
図７に示すように、日の出の方角を日の出の時刻から定められる方角（Ａｓ１＝３３６．３度）に一致させた場合、日の入りの方角は２１５．５度となり、日の入りの時刻から定められる方角（Ａｓ２＝１９４．２５度）とは、ずれることとなる。
そこで、本実施形態においては、このずれを解消するように方角座標系に不均一性（歪み）を許容するものとする。具体的には、時刻座標系における日の出及び日の入りの時刻の座標を、方角座標系における日の出及び日の入りの方角を正確に示す条件の下、日の出及び日の入りの方角以外の方角については、実際の方角からずれた状態に方角座標系が設定される。
【００３５】
時刻座標系における日の出及び日の入りの時刻の座標（即ち、方角座標系における日の出及び日の入りの方角の座標）は、上述の第１の指標Ｉａ及び第２の指標Ｉｂを定義する座標であるため、第１の指標Ｉａあるいは第２の指標ＩｂがＬＣＤ１４の表示領域における特定の方向（例えば、図４においてＬＣＤ１４の表示領域中心から上方の向き）に一致するようにリスト端末１の向きを設定した場合に、第１の指標Ｉａあるいは第２の指標Ｉｂの向きが日の出あるいは日の入りの方角を示すものとなる。
【００３６】
なお、日の出及び日の入りの方角以外の方角が実際の方角からずれた状態に方角座標系を設定する場合、時刻座標系における日の出及び日の入りの時刻の座標が、方角座標系における実際の日の出及び日の入りの方角を正確に示すものであれば、どのように方角座標系を設定してもよい。
一例として、実際の日の出の方角及び日の入りの方角の間の方角範囲を、方角座標系における日の出の方角及び日の入りの方角の間の角度で除算することにより、方角座標系に実際の方角を対応付けることができる。
【００３７】
例えば、実際の日の出の方角から実際の日の入りの方角までの角度ｄＡ１（時計周りの角度）は２３９．２度であり、時刻座標系における日の出の座標から日の入りの座標までの角度ｄｔ１（時計周りの角度）は２１７．９５度である。一方、実際の日の入りの方角から実際の日の出の方角までの角度ｄＡ２（時計周りの角度）は１２０．８度であり、時刻座標系における日の入りの座標から日の出の座標までの角度ｄｔ２（時計周りの角度）は１４２．０５度である。
これらの角度範囲において、実際の角度ｄＡ１、ｄＡ２を、方角座標系の角度ｄｔ１、ｄｔ２にそれぞれ割り当てれば、方角座標系に実際の方角を対応付けることができる。
【００３８】
即ち、方角座標系と実際の方角との換算を行うための角度係数βを導入し、日の出から日の入りまでの角度範囲については角度係数β１を、
β１＝ｄｔ１／ｄＡ１＝０．９１１２
とすることができる。
また、日の入りから日の出までの角度範囲については角度係数β２を、
β２＝ｄｔ２／ｄＡ２＝１．１７５９
とすることができる。
【００３９】
これらの角度係数β１、β２は、地磁気センサの出力の変化（回転）に対して、時刻座標系及び方角座標系の表示を回転する角度の換算係数を表している。即ち、日の出から日の入りまでの角度範囲では、地磁気センサの出力が１度回転したことを示している場合に、時刻座標系及び方角座標系の表示は０．９１１２度回転される。同様に、日の入りから日の出までの角度範囲では、地磁気センサの出力が１度回転したことを示している場合に、時刻座標系及び方角座標系の表示は１．１７５９度回転される。
このように算出される方角座標系を所定角度（例えば、１０度等）毎にプロットすると、歪みを有する方角座標系の座標分布を視覚化することができる。
【００４０】
図８は、時刻座標系に重畳（合成）された方角座標系の座標分布を示す模式図である。
図８に示すように、日の出から日の入りまでの角度範囲における方角座標の間隔は、日の入りから日の出までの角度範囲における方角座標の間隔よりも狭くなっている。
このように方角座標系に不均一性（歪み）を持たせることで、日の出及び日の入りの方角の座標を、日の出及び日の入りの時刻の座標に固定しつつ、時刻及び方角を対応付けて表示することができる。
さらに、このように対応付けられた時刻座標系及び方角座標系は、地磁気センサの出力（即ち、ユーザの向き）に応じて、逐次回転させて表示される。
【００４１】
本実施形態において、地磁気センサの出力については、北の方位を０度に設定している一方、方角座標系においては、図５等における６時の位置を０度に設定しているため、９０度のオフセットを有している。したがって、地磁気センサの出力に応じて、時刻座標系及び方角座標系を表示する場合、角度を９０度補正（時計周りに９０度回転）して、時刻座標系及び方角座標系を表示すればよい。
【００４２】
図９は、図８に示す時刻座標系及び方角座標系を地磁気センサの出力に応じて補正した状態を示す模式図である。
図９においては、図８に示す状態から、時刻座標系及び方角座標系が時計周りに地磁気センサの出力に応じた角度だけ回転されている。
なお、本実施形態では、地磁気センサの出力に応じて、逐次回転して表示される方角座標系と、日の出及び日の入りの時刻において方角座標系と対応付けられている時刻座標系とがアナログ時計の文字盤の画像として表示される。さらに、この文字盤の画像に、第１の指標Ｉａ及び第２の指標Ｉｂ、現在時刻を示す時針、現在時刻のデジタル表示（時針の中心に重畳された時刻表示）、及び、方位の目安（第１の指標Ｉａ及び第２の指標Ｉｂに対する相対的な方位）を示す記号（例えば、北の方位を示す「Ｎ」）等が重畳して表示される。
【００４３】
図１０は、地磁気センサの出力に応じて、リスト端末１の表示が回転される状態を示す模式図であり、図１０（Ａ）は地磁気センサの出力が６０度である場合、図１０（Ｂ）は地磁気センサの出力が３００度である場合、図１０（Ｃ）は地磁気センサの出力が４度である場合、図１０（Ｄ）は地磁気センサの出力が８６度である場合を示す図である。
【００４４】
図１０（Ａ）に示すように、地磁気センサの出力が６０度である場合、時刻座標系において、この方角に対応する角度は３３６．３度となる。この角度を表示のために９０度補正すると６６．３度となり、即ち、地磁気センサの出力が０度の状態から６６．３度回転されることとなる。
ここで、本実施形態において例として挙げている観測日：２０１５年６月１２日、観測地点：東京の場合、日の出の方角が６０．４度であり、地磁気センサの出力は、１度単位に丸め込まれるとすると日の出の方角を指し示している。この実際の日の出の方角に対応する角度は、時刻座標系における３３６．３度に一致されているため、表示のために９０度補正されると、ＬＣＤ１４の表示領域における特定の方向が時刻座標系の６６．３度の位置、即ち、第１の指標Ｉａの位置と一致することとなる。
【００４５】
同様に、図１０（Ｂ）に示すように、地磁気センサの出力が３００度である場合、時刻座標系において、この方角に対応する角度は１９４．２５度となる。この角度を表示のために９０度補正すると２８４．３度となり、即ち、地磁気センサの出力が０度の状態から２８４．３度回転されることとなる。
本実施形態において例として挙げている観測日：２０１５年６月１２日、観測地点：東京の場合、日の入りの方角が１９４．２５度であり、地磁気センサの出力は、日の入りの方角を指し示している。この実際の日の入りの方角に対応する角度は、時刻座標系における１９４．２５度に一致されているため、表示のために９０度補正されると、ＬＣＤ１４の表示領域における特定の方向が時刻座標系の２８４．３度の位置、即ち、第２の指標Ｉｂの位置と一致することとなる。
【００４６】
また、図１０（Ｃ）に示すように、地磁気センサの出力が４度である場合、時刻座標系において、この方角に対応する角度は２６９．５０８３度となる。この角度を表示のために９０度補正すると３５９．５度となり、即ち、地磁気センサの出力が０度の状態から３５９．５度回転されることとなる。
さらに、図１０（Ｄ）に示すように、地磁気センサの出力が８６度である場合、時刻座標系において、この方角に対応する角度は３５９．９９０２度となる。この角度を表示のために９０度補正すると９０．０度となり、即ち、地磁気センサの出力が０度の状態から９０．０度回転されることとなる。
【００４７】
このように、地磁気センサの出力によって、時刻座標系及び方角座標系を表示する際の回転角度が不均一となっていることにより、第１の指標Ｉａあるいは第２の指標ＩｂがＬＣＤ１４の表示領域における特定の方向（例えば、図４においてＬＣＤ１４の表示領域中心から上方の向き）に一致するようにリスト端末１の向きを設定した場合に、第１の指標Ｉａあるいは第２の指標Ｉｂの向きが日の出あるいは日の入りの方角を示す座標系を実現することができる。
【００４８】
［動作］
次に、リスト端末１の動作を説明する。
図１１は、図２の機能的構成を有する図１のリスト端末１が実行する情報表示処理の流れを説明するフローチャートである。
情報表示処理は、ユーザが入力部１３に情報表示処理を開始させる指示入力を行うことにより開始される。
ステップＳ１において、方角座標設定部５４は、暦情報ＤＢ７１を参照し、現在地における当日の日の出の時刻及び日の入りの時刻を取得する。
ステップＳ２において、方角座標設定部５４は、暦情報ＤＢ７１を参照し、現在地における当日の日の出の方角及び日の入りの方角を取得する。
【００４９】
ステップＳ３において、時刻座標設定部５３は、ＬＣＤ１４の表示領域における周方向を均等に分割して、２４時間の時刻に割り当てることにより、各時刻の角度及び座標を算出して、時刻座標系を設定する。
ステップＳ４において、表示制御部５５は、時刻座標系を描画する。
ステップＳ５において、方角座標設定部５４は、時刻座標系における日の出及び日の入りの時刻及び方角の角度と、時刻に応じて決まる角度係数α１、α２とを算出する。
ステップＳ６において、方角座標設定部５４は、時刻座標系における実際の日の出の方角及び日の入りの方角の角度を算出する。
【００５０】
ステップＳ７において、方角座標設定部５４は、実際の日の出の方角と実際の日の入りの方角との角度の差分ｄＡ１、ｄＡ２と、時刻座標系における日の出の方角と時刻座標系における日の入りの方角との角度の差分ｄｔ１、ｄｔ２を算出する。
ステップＳ８において、方角座標設定部５４は、方角座標系と実際の方角との換算を行うための角度係数β１、β２を算出する。
ステップＳ９において、方角座標設定部５４は、時刻座標系における日の出及び日の入りの方角を方角座標系における実際の日の出の方角及び日の入りの方角に割り当てる。
ステップＳ１０において、方角座標設定部５４は、方角座標系における日の出及び日の入りの方角以外の角度を算出する。
【００５１】
ステップＳ１１において、方角座標設定部５４は、方角座標系における各方角の座標を算出する。
ステップＳ１２において、表示制御部５５は、方角座標系を描画する。
ステップＳ１３において、表示制御部５５は、時刻座標系と方角座標系とを重畳（合成）した座標系において、日の出及び日の入りの時刻を含む各種情報を表示する。これにより、ＬＣＤ１４に表示するための描画スクリーンが生成される。
ステップＳ１４において、表示制御部５５は、表示回転処理を実行する。
ステップＳ１４の後、情報表示処理は終了となる。
【００５２】
次に、情報表示処理のステップＳ１４で実行される表示回転処理について説明する。
図１２は、表示回転処理の流れを説明するフローチャートである。
ステップＳ２１において、表示制御部５５は、地磁気センサの出力を取得する。
ステップＳ２２において、表示制御部５５は、各方位の角度を算出する。
ステップＳ２３において、表示制御部５５は、描画スクリーンを表示するための表示回転角度を算出する。
ステップＳ２４において、表示制御部５５は、表示回転角度に応じて、描画スクリーンを回転させる処理を行う。
【００５３】
ステップＳ２５において、表示制御部５５は、回転させた描画スクリーンを表示する。
ステップＳ２６において、表示制御部５５は、回転させた描画スクリーンに重畳して、現在時刻を示す数字を固定された角度で表示する。これにより、現在時刻を示す数字は、描画スクリーンの回転に関わらず、常に固定された角度で表示される。
ステップＳ２７において、表示制御部５５は、表示の終了を示す指示入力が行われたか否かの判定を行う。
表示の終了を示す指示入力が行われていない場合、ステップＳ２７においてＮＯと判定されて、処理はステップＳ２１に移行する。
表示の終了を示す指示入力が行われた場合、ステップＳ２７においてＹＥＳと判定されて、処理は表示制御処理に戻る。
【００５４】
このような処理により、ＬＣＤ１４の表示領域における周方向に均等に割り当てられた時刻座標系に対して、日の出の時刻及び日の入りの時刻の角度に実際の日の出の方角及び日の入りの方角を割り当てると共に、日の出の方角及び日の入りの方角以外の方角を実際の方角からずらして設定された方角座標系が設定される。そして、これら時刻座標系及び方角座標系が重畳（合成）された座標系に、文字盤の画像、日の出の時刻を表す第１の指標Ｉａ、日の入りの時刻を表す第２の指標Ｉｂ、及び、現在時刻を示す数字等が重畳して表示されると共に、地磁気センサの出力に応じて、現在時刻を示す数字以外の表示が回転して表示される。
即ち、時刻表示については、ＬＣＤ１４の表示領域における周方向において均等に割り当てられた座標によって表示できると共に、日の出の方角及び日の入りの方角については、リスト端末１をそれらの方向に向けることで、実際の日の出の方角及び日の入りの方角を正確に表示することができる。
したがって、時刻と方角とが関連する事象を直感的にわかり易い情報として提示することが可能となる。
【００５５】
［第２実施形態］
次に、本発明の第２実施形態について説明する。
第１実施形態においては、ＬＣＤ１４の表示領域における周方向に均等に割り当てられた時刻座標系に対して、日の出の時刻及び日の入りの時刻の角度に実際の日の出の方角及び日の入りの方角を割り当てると共に、日の出の方角及び日の入りの方角以外の方角を実際の方角からずらして設定された方角座標系が設定されるものとした。
これに対し、本実施形態におけるリスト端末１では、時刻座標系及び方角座標系をＬＣＤ１４の表示領域における周方向に均等に割り当てる。そして、それぞれの座標系をＬＣＤ１４の表示領域に重ねて表示すると共に、時刻座標系に日の出の時刻及び日の入りの時刻を表示し、方角座標系に日の出の方角及び日の入りの方角を表示する。
これにより、時刻座標系及び方角座標系を歪みのない状態で表示できると共に、重ねて表示されたそれぞれの座標系において、日の出の時刻及び日の入りの時刻と、日の出の方角及び日の入りの方角とを併せて表示することができる。
したがって、時刻と方角とが関連する事象を直感的にわかり易い情報として提示することが可能となる。
【００５６】
本実施形態に係るリスト端末１は、第１実施形態におけるリスト端末１に対し、図２に示す方角座標設定部５４及び表示制御部５５の機能が異なっている。
したがって、以下、第１実施形態と異なる部分である方角座標設定部５４及び表示制御部５５について主として説明し、他の部分については、第１実施形態を適宜参照するものとする。
【００５７】
方角座標設定部５４は、ＬＣＤ１４の表示領域における周方向を均等に分割して３６０度の方角に割り当て、方角を表す方角座標系を設定する。方角座標系は、方角情報取得部５２によって取得されるリスト端末１における方角を示す情報に合わせて、逐次回転してＬＣＤ１４の表示領域に表示される。
【００５８】
図１３は、本実施形態において設定される時刻座標系及び方角座標系を示す模式図であり、図１３（Ａ）は時刻座標系を示す図、図１３（Ｂ）は方角座標系を示す図である。
図１３（Ａ）及び図１３（Ｂ）に示すように、時刻座標系及び方角座標系は、ＬＣＤ１４の表示領域における周方向に各時刻の座標が均等に割り当てられたものとなっている。
なお、図１３（Ａ）においては、日の出及び日の入りの時刻の位置がそれらを示すアイコン及びそれらの時刻を示す数字と共に示されており、時刻座標系における４：２５の位置が日の出の時刻、１８：５７の位置が日の入りの時刻となっている。また、図１３（Ｂ）においては、日の出及び日の入りの方角の位置が示されており、方角座標系における北の方位を０度として、６０．４度の位置が日の出の方角、２９９．６度の位置が日の入りの方角となっている。
このように、本実施形態においては、時刻座標系及び方角座標系がＬＣＤ１４の表示領域における周方向に均等に割り当てられ、時刻座標系に日の出の時刻及び日の入りの時刻が表示され、方角座標系に日の出の方角及び日の入りの方角が表示される。
【００５９】
表示制御部５５は、時刻座標設定部５３によって設定された時刻座標系と、時刻座標系に対応付けられた方角座標系とを重ねた座標系において、日の出及び日の入りの時刻と方角とを含む各種情報を表示する。なお、表示制御部５５は、時刻座標系に重ねられた方角座標系を、地磁気センサの出力（即ち、ユーザの向き）に応じて、逐次回転させてＬＣＤ１４に表示する。なお、本実施形態において、時刻座標系はＬＣＤ１４の表示領域に固定され、方角座標系のみが回転して表示される。
図１４は、表示制御部５５によって表示される表示画面例を示す模式図である。
図１４に示すように、表示制御部５５は、ＬＣＤ１４の表示領域中心を時針Ｈの回転中心とするアナログ時計の文字盤の画像を表示する。また、表示制御部５５は、この文字盤の画像において、日の出の時刻を表す第１の指標Ｉａと、日の入りの時刻を表す第２の指標Ｉｂと、日の出の方角を示す第３の指標Ｉｃと、日の入りの方角を示す第４の指標Ｉｄとを表示する。
【００６０】
第１の指標Ｉａは、文字盤の画像において、表示領域中心と時刻座標系における日の出の時刻（ここでは、「４：２５」）とを結ぶ線分として表される。同様に、第２の指標Ｉｂは、文字盤の画像において、表示領域中心と時刻座標系における日の入りの時刻（ここでは、「１８：５７」）とを結ぶ線分として表される。なお、第１の指標Ｉａ及び第２の指標Ｉｂそれぞれの近傍には、日の出の時刻及び日の入りの時刻が数値によって表されている。さらに、第１の指標Ｉａと第２の指標Ｉｂとで区分された時刻座標系の間の領域は、日中に相当する領域が明度の高い色（例えば、白色等）、夜間に相当する領域が明度の低い色（例えば、黒色等）で表されている。また、第１の指標Ｉａ及び第２の指標Ｉｂそれぞれの近傍には日の出、日の入りを示すアイコンが表示されている。
【００６１】
また、第３の指標Ｉｃは、文字盤の画像において、表示領域中心と方角座標系における日の出の方角（ここでは、「６０．４度」）とを結ぶ矢線として表される。同様に、第４の指標Ｉｄは、文字盤の画像において、表示領域中心と方角座標系における日の入りの方角（ここでは、「２９９．６度」）とを結ぶ矢線として表される。
本実施形態において、方角座標系が示す各方角は、実際の方角を示しており、図１４において示されている方位（北の方位を示す「Ｎ」等）は、ほぼ正確な方位を示すものとなっている。
【００６２】
このような構成において、本実施形態に係るリスト端末１は、第１実施形態の図１１と同様に、情報表示処理を実行する。ただし、本実施形態においては、図１１に示す情報表示処理のうち、ステップＳ５〜ステップＳ１０の処理は行われず、ステップＳ１１においては、方角座標系における日の出の方角及び日の入りの方角を含む各方角の座標が算出される。また、ステップＳ１３においては、時刻座標系と方角座標系とが重ねられた座標系において、日の出及び日の入りの時刻と方角とを含む各種情報が表示される。なお、このとき、本実施形態においては、日の出及び日の入りの時刻と、日の出及び日の入りの方角とが独立して表示される。また、本実施形態において、ステップＳ１３の表示回転処理では、時刻座標系については、ＬＣＤ１４の表示領域に固定され、方角座標系のみ（即ち、方角座標系において表示された日の出及び日の入りの方角を含む方角情報）が地磁気センサの出力に応じて回転して表示される。
【００６３】
このような処理により、本実施形態におけるリスト端末１では、時刻座標系及び方角座標系をＬＣＤ１４の表示領域における周方向に均等に割り当てる。そして、それぞれの座標系をＬＣＤ１４の表示領域に重ねて表示すると共に、時刻座標系に日の出の時刻及び日の入りの時刻を表示し、方角座標系に日の出の方角及び日の入りの方角を表示する。
これにより、時刻座標系及び方角座標系を歪みのない状態で表示できると共に、重ねて表示されたそれぞれの座標系において、日の出の時刻及び日の入りの時刻と、日の出の方角及び日の入りの方角とを併せて表示することができる。
したがって、時刻と方角とが関連する事象を直感的にわかり易い情報として提示することが可能となる。
【００６４】
なお、上述の実施形態では、時刻座標系、方角座標系あるいは描画スクリーンを表示するための表示回転角度を逐次算出して取得するものとしたが、これに限られない。即ち、時刻座標系、方角座標系あるいは描画スクリーンを表示するための表示回転角度等を予めテーブル形式で一覧として保持し、この一覧を参照して、時刻座標系、方角座標系あるいは描画スクリーンを表示するための表示回転角度を取得することとしてもよい。
さらに、リスト端末１において上記表示回転角度を逐次算出することの他、リスト端末１が通信可能な他の装置（スマートフォンやサーバ等）において、上記表示回転角度を逐次算出したり、上記表示回転角度をテーブル形式で一覧として保持しておいたりすることも可能である。この場合、リスト端末１は、位置情報（現在位置等）を他の装置に送信し、その位置情報に対応する表示回転角度を他の装置から取得することで、上述の実施形態と同様の表示を行うことが可能となる。
また、上述の実施形態において、高度センサ等の出力に基づいて、日の出及び日の入りの時刻とその方角とを補正することとしてもよい。
【００６５】
また、上述の実施形態では、暦情報ＤＢ７１に主要地点における日の出及び日の入りの時刻とその方角を所定期間分格納しておくものとして説明したが、これに限られない。即ち、現在時刻及びＧＰＳ等によって取得された現在位置に基づいて、日の出及び日の入りの時刻とその方角とを逐次算出することとしてもよい。
また、上述の実施形態では、日の出及び日の入りの時刻と方角とを表示する場合を例に挙げて説明したが、これに限られない。即ち、本発明は、日の出あるいは日の入りのみならず、月等の他の天体の出没をはじめとして、時刻と方角とが関連する種々の事象に適用することができる。
また、第１実施形態では、時刻座標設定部５３がＬＣＤ１４の表示領域における周方向に均等に割り当てられた２４時間表示の時刻座標系を設定し、時刻座標系における日の出及び日の入り時刻の位置に、日の出及び日の入りの方角の座標を固定的に割り当てると共に、方角座標設定部５４がこれらの方角の間の座標を日の出及び日の入りの方角の座標に合わせて割り当てた方角座標系を設定するものとしたが、これに限られない。即ち、方角座標設定部５４がＬＣＤ１４の表示領域における周方向に均等に割り当てられた方角座標系を設定し、方角座標系における日の出及び日の入りの方角の位置に、日の出及び日の入り時刻の座標を固定的に割り当てると共に、時刻座標設定部５３がこれらの時刻の間の座標を日の出及び日の入りの時刻の座標に合わせて割り当てた２４時間表示の時刻座標系を設定することとしてもよい。
【００６６】
以上のように構成されるリスト端末１は、時刻情報取得部５１と、方角情報取得部５２と、ＬＣＤ１４と、時刻座標設定部５３と、方角座標設定部５４と、表示制御部５５とを備える。
時刻情報取得部５１は、時刻情報を取得する。
方角情報取得部５２は、方角情報を取得する。
ＬＣＤ１４は、時刻情報及び方角情報を表示可能である。
時刻座標設定部５３は、ＬＣＤ１４に時刻情報を表示するための時刻座標系を設定する。
方角座標設定部５４は、ＬＣＤ１４に方角情報を表示するための方角座標系を設定する。
表示制御部５５は、ＬＣＤ１４に設定された時刻座標系及び方角座標系に、特定の時刻情報及び特定の方角情報を表示する。
これにより、時刻と方角とが関連する事象を直感的にわかり易い情報として提示することが可能となる。
【００６７】
表示制御部５５は、ＬＣＤ１４において時刻座標系及び方角座標系を合成した座標上に、特定の時刻情報及び特定の方角情報を表示する。
これにより、時刻座標系と方角座標系とが合成された座標系において、特定の時刻情報と特定の方角情報とを関連付けて表示することが可能となる。
【００６８】
時刻座標設定部５３及び方角座標設定部５４は、時刻座標系における特定の時刻情報の位置と、特定の時刻情報に関連する特定の方角情報の位置とを対応付け、時刻座標系または方角座標系の少なくとも一方を座標変換する。
表示制御部５５は、座標変換された時刻座標系と方角座標系とを合成する。
これにより、基準とする一方の座標系に合わせて他方の座標系を合成した座標上に、時刻情報及び方角情報を表示することができる。
【００６９】
時刻座標設定部５３は、時刻座標系をＬＣＤ１４の表示領域の周方向に均等に割り当てる。
方角座標設定部５４は、時刻座標系における特定の時刻情報の位置に、特定の時刻情報に関連する特定の方角情報を対応付けると共に、特定の時刻情報に関連する特定の方角情報以外の方角情報を、特定の時刻情報に関連する特定の方角情報に合わせて時刻座標系に割り当てることにより方角座標系を設定する。
これにより、時刻表示については、ＬＣＤ１４の表示領域における周方向において均等に割り当てられた座標系によって表示できると共に、特定の時刻情報に関連する方角情報については、方角情報を正確に表示することができる。
【００７０】
特定の時刻情報に関連する方角情報は、第１の時刻情報に関連する第１の方角情報及び第２の時刻情報に関連する第２の方角情報を含む。
方角座標設定部５４は、時刻座標系において、第１の時刻情報に関連する第１の方角情報を対応付けると共に、第２の時刻情報に関連する第２の方角情報を対応付け、第１の方角情報と第２の方角情報との間の方角座標を、第１の時刻情報と第２の時刻情報との間の時刻座標に割り当てる。
これにより、第１の方角情報と第２の方角情報との間の方角に不均一性（歪み）を持たせ、第１の方角情報及び第２の方角情報を、それらの時刻座標に固定しつつ、時刻及び方角を対応付けて表示することができる。
【００７１】
表示制御部５５は、方角座標系において、特定の時刻情報に関連する方角情報に対する相対的な方位を示す情報をＬＣＤ１４に表示する。
これにより、リスト端末１における方位の目安を示すことが可能となる。
【００７２】
方角座標設定部５４は、方角座標をＬＣＤ１４の表示領域の周方向に均等に割り当てる。
時刻座標設定部５３は、方角座標系における特定の方角情報の位置に、特定の方角情報に関連する特定の時刻情報を対応付けると共に、特定の方角情報に関連する特定の時刻情報以外の時刻情報を、特定の方角情報に関連する特定の時刻情報に合わせて方角座標系に割り当てることにより時刻座標系を設定する。
これにより、方角表示について、ＬＣＤ１４の表示領域における周方向において均等に割り当てられた座標系によって表示できる。
【００７３】
表示制御部５５は、ＬＣＤ１４において時刻座標系及び方角座標系を重ねた座標上に、特定の時刻情報及び特定の方角情報を表示する。
これにより、時刻座標系及び方角座標系を歪みのない状態で表示できると共に、重ねて表示されたそれぞれの座標系において、特定の時刻情報及び特定の方角情報を併せて表示することができる。
【００７４】
特定の時刻情報は、天体の出没時刻である。
特定の時刻情報に関連する方角情報は、天体の出没時刻に関連する出没の方角である。
これにより、天体の出没時刻を直感的にわかり易い情報として提示することが可能となる。
【００７５】
なお、本発明は、上述の実施形態に限定されるものではなく、本発明の目的を達成できる範囲での変形、改良等は本発明に含まれるものである。
【００７６】
例えば、上述の実施形態では、本発明が適用される情報処理装置として、リスト端末を例として説明したが、特にこれに限定されない。
例えば、本発明は、情報表示機能を有する電子機器一般に適用することができる。具体的には、例えば、本発明は、ノート型のパーソナルコンピュータ、テレビジョン受像機、ビデオカメラ、携帯型ナビゲーション装置、携帯電話機、スマートフォン、ポータブルゲーム機等に適用可能である。
【００７７】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７９】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１６等で構成される。
【００８０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００８１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８２】
以下に、本願の出願当初の特許請求の範囲に記載された発明を付記する。
［付記１］
時刻情報を取得する時刻情報取得手段と、
方角情報を取得する方角情報取得手段と、
前記時刻情報及び前記方角情報を表示可能な表示手段と、
前記表示手段に前記時刻情報を表示するための時刻座標系を設定する時刻座標設定手段と、
前記表示手段に前記方角情報を表示するための方角座標系を設定する方角座標設定手段と、
前記表示手段に設定された前記時刻座標系及び前記方角座標系に、特定の時刻情報及び特定の方角情報を表示する表示制御手段と、
を備えることを特徴とする情報表示装置。
［付記２］
前記表示制御手段は、前記表示手段において前記時刻座標系及び前記方角座標系を合成した座標上に、前記特定の時刻情報及び前記特定の方角情報を表示することを特徴とする付記１に記載の情報表示装置。
［付記３］
前記時刻座標設定手段及び前記方角座標設定手段は、前記時刻座標系における前記特定の時刻情報の位置と、前記特定の時刻情報に関連する前記特定の方角情報の位置とを対応付け、前記時刻座標系または前記方角座標系の少なくとも一方を座標変換し、
前記表示制御手段は、座標変換された前記時刻座標系と前記方角座標系とを合成することを特徴とする付記２に記載の情報表示装置。
［付記４］
前記時刻座標設定手段は、前記時刻座標系を前記表示手段の表示領域の周方向に均等に割り当て、
前記方角座標設定手段は、前記時刻座標系における特定の時刻情報の位置に、前記特定の時刻情報に関連する前記特定の方角情報を対応付けると共に、前記特定の時刻情報に関連する前記特定の方角情報以外の方角情報を、前記特定の時刻情報に関連する方角情報に合わせて前記時刻座標系に割り当てることにより前記方角座標系を設定することを特徴とする付記２または３に記載の情報表示装置。
［付記５］
前記特定の時刻情報に関連する方角情報は、第１の時刻情報に関連する第１の方角情報及び第２の時刻情報に関連する第２の方角情報を含み、
前記方角座標設定手段は、前記時刻座標系において、前記第１の時刻情報に関連する第１の方角情報を対応付けると共に、前記第２の時刻情報に関連する第２の方角情報を対応付け、前記第１の方角情報と前記第２の方角情報との間の方角座標を、前記第１の時刻情報と前記第２の時刻情報との間の時刻座標に割り当てることを特徴とする付記２から４のいずれか１つに記載の情報表示装置。
［付記６］
前記表示制御手段は、前記方角座標系において、前記特定の時刻情報に関連する方角情報に対する相対的な方位を示す情報を前記表示手段に表示することを特徴とする付記１から５のいずれか１つに記載の情報表示装置。
［付記７］
前記方角座標設定手段は、前記方角座標系を前記表示手段の表示領域の周方向に均等に割り当て、
前記時刻座標設定手段は、前記方角座標系における特定の方角情報の位置に、前記特定の方角情報に関連する前記特定の時刻情報を対応付けると共に、前記特定の方角情報に関連する前記特定の時刻情報以外の時刻情報を、前記特定の方角情報に関連する時刻情報に合わせて前記方角座標系に割り当てることにより前記時刻座標系を設定することを特徴とする付記２または３に記載の情報表示装置。
［付記８］
前記表示制御手段は、前記表示手段において前記時刻座標系及び前記方角座標系を重ねた座標上に、前記特定の時刻情報及び前記特定の方角情報を表示することを特徴とする付記１に記載の情報表示装置。
［付記９］
前記特定の時刻情報は、天体の出没時刻であり、
前記特定の方角情報は、前記天体の出没時刻に関連する出没の方角であることを特徴とする付記１から８のいずれか１つに記載の情報表示装置。
［付記１０］
時刻情報を取得する時刻情報取得手段と、
方角情報を取得する方角情報取得手段と、
前記時刻情報及び前記方角情報を表示可能な表示手段と、を備える情報表示装置が実行する情報表示方法であって、
前記表示手段に前記時刻情報を表示するための時刻座標系を設定する時刻座標設定処理と、
前記表示手段に前記方角情報を表示するための方角座標系を設定する方角座標設定処理と、
前記表示手段に設定された前記時刻座標系及び前記方角座標系に、特定の時刻情報及び特定の方角情報を表示する表示制御処理と、
を含むことを特徴とする情報表示方法。
［付記１１］
時刻情報を取得する時刻情報取得手段と、
方角情報を取得する方角情報取得手段と、
前記時刻情報及び前記方角情報を表示可能な表示手段と、を備える情報表示装置を制御するコンピュータに、
前記表示手段に前記時刻情報を表示するための時刻座標系を設定する時刻座標設定機能と、
前記表示手段に前記方角情報を表示するための方角座標系を設定する方角座標設定機能と、
前記表示手段に設定された前記時刻座標系及び前記方角座標系に、特定の時刻情報及び特定の方角情報を表示する表示制御機能と、
を実現させることを特徴とするプログラム。
【符号の説明】
【００８３】
１・・・リスト端末，１１・・・制御部，１２・・・センサユニット，１３・・・入力部，１４・・・ＬＣＤ，１５・・・計時回路，１６・・・ＲＯＭ，１７・・・ＲＡＭ，１８・・・ＧＰＳアンテナ，１９・・・ＧＰＳモジュール，２０・・・無線通信用アンテナ，２１・・・無線通信モジュール，２２・・・ドライブ，３１・・・リムーバブルメディア，５１・・・時刻情報取得部，５２・・・方角情報取得部，５３・・・時刻座標設定部，５４・・・方角座標設定部，５５・・・表示制御部，７１・・・暦情報データベース（暦情報ＤＢ）
【図１】
2018004402.tif 000003
【図２】
2018004402.tif 000004
【図３】
2018004402.tif 000005
【図４】
2018004402.tif 000006
【図５】
2018004402.tif 000007
【図６】
2018004402.tif 000008
【図７】
2018004402.tif 000009
【図８】
2018004402.tif 000010
【図９】
2018004402.tif 000011
【図１０】
2018004402.tif 000012
【図１１】
2018004402.tif 000013
【図１２】
2018004402.tif 000014
【図１３】
2018004402.tif 000015
【図１４】
2018004402.tif 000016